(57)【要約】【課題】  資材費や組立工数を軽減できて、かつ、十分な強度を保つことができる貯留施設を提供する。【解決手段】  同一形状の主ブロックと副ブロックを前後左右に密着状態で配列した１つ以上のブロック層を有し、前記主ブロックは、前後左右にブロック１つ分の間隔を空けて配列され、その間が前記副ブロックで連結されており、上下の前記ブロック層の間に間隔が空くように、前記主ブロックを柱で支持した貯留施設とした。【選択図】  図４
2018131793.tif 000002
【特許請求の範囲】
【請求項１】
同一の平面形状の主ブロックと副ブロックを前後左右に密着状態で配列した１つ以上のブロック層を有し、
前記主ブロックは、前後左右に前記主ブロック１つ分の間隔を空けて配列され、その間が前記副ブロックで連結されており、
前記主ブロックを柱で支持することで、前記ブロック層の下に空間を設けた雨水等の貯留施設。
【請求項２】
前記柱が耐クリープ性である請求項１の貯留施設。
【請求項３】
窪地の底から前記ブロック層までブロックを積み上げた外壁部を有する請求項１又は２の貯留施設。
【請求項４】
前記主ブロックの４角をそれぞれ前記柱で支持し、
前後左右に隣接する４つの前記主ブロックの対向する４つの角に跨って天板を配置した請求項１〜３のいずれかの貯留施設。
【請求項５】
前記空間を避難空間としたことを特徴とする請求項１〜４のいずれかの貯留施設。
【発明の詳細な説明】
【技術分野】
【０００１】
本発明は、雨水等を貯留し、又は浸透させるための貯留施設に関する。
【背景技術】
【０００２】
高空隙率の単位部材（ブロック）を多数積み上げた帯水構造体を窪地に設置し、土で埋戻すことで、雨水の貯留空間を形成した貯留施設が知られている（特許文献１）。貯留施設の上に道路や公園等を設置することもできる。
【先行技術文献】
【特許文献】
【０００３】
【特許文献１】特開２００４−２１１３１６号公報
【特許文献２】特開平１０−２５２１０８号公報
【特許文献３】特開平１１−２２２８８６号公報
【特許文献４】特開２００８−２８０７７５号公報
【特許文献５】特開２０１０−０４８０１０号公報
【特許文献６】特開２０１０−０５９７２９号公報
【特許文献７】特開２００７−３３２６９２号公報
【発明の概要】
【発明が解決しようとする課題】
【０００４】
従来、鉛直方向及び水平方向の強度を得るため、前後左右上下にブロックを密に積み上げていた。そのため、多数のブロックが必要であり、組立に手間が掛かり、コストが高かった。出願人は、前後左右に間隔を空けてブロックを配置し、その間を継手で連結することで、必要なブロック数を減少させた貯留施設を提案した（特許文献５，６）。しかし、資材の数や種類、組立の手間をさらに減少させることが望ましい。また、ブロックは樹脂製のため、貯留施設の上を通る車両の重み等でクリープが生じ、地表が沈下する問題も生じていた。
【課題を解決するための手段】
【０００５】
本願には、下記発明が開示される。
＜構成１＞
同一の平面形状の主ブロックと副ブロックを前後左右に密着状態で配列した１つ以上のブロック層を有し、
前記主ブロックは、前後左右に前記主ブロック１つ分の間隔を空けて配列され、その間が前記副ブロックで連結されており、
前記主ブロックを柱で支持することで、前記ブロック層の下に空間を設けた雨水等の貯留施設。
＜構成２＞
前記柱が耐クリープ性である構成１の貯留施設。
＜構成３＞
窪地の底から前記ブロック層までブロックを積み上げた外壁部を有する構成１又は２の貯留施設。
＜構成４＞
前記主ブロックの４角をそれぞれ前記柱で支持し、
前後左右に隣接する４つの前記主ブロックの対向する４つの角に跨って天板を配置した構成１〜３のいずれかの貯留施設。
＜構成５＞
前記空間を避難空間としたことを特徴とする構成１〜４のいずれかの貯留施設。
【図面の簡単な説明】
【０００６】
【図１】本発明の一実施形態の貯留施設１を示す。
【図２】（ａ）は、貯留施設１に使用されるブロック２０を示す。（ｂ）は（ａ）のＸ−Ｘ断面図を示す。（ｃ）は、２つのブロック２０を連結したユニットを示す。
【図３】（ａ）〜（ｃ）は、ブロック２０の連結の態様を示す。
【図４】帯水構造体１０の全体を上から見た図である。
【図５】図４の破線で囲った部分を横から見たときのブロック２０の並びを示す。
【図６】図４の破線で囲った部分を上から見たときのブロック２０の並び（ブロック層Ｌ１，Ｌ２のブロック２０の並び）を示す。
【図７】他の実施形態における帯水構造体１０Ａを示す。
【図８】他の実施形態における帯水構造体１０Ｂを示す。
【図９】他の実施形態における帯水構造体１０Ｃを示す。
【発明を実施するための形態】
【０００７】
図１は、本実施形態の貯留施設１を示す。窪地の底２に帯水構造体１０を設置し、地表３まで土４で埋め戻すことで雨水等を帯水構造体１０内の空間に貯留又は浸透させる。窪地は、自然の窪地でもよく、人工の窪地でもよい。適宜壁材を用いて帯水構造体１０の側面を覆い、及び／又は、シートで覆い土砂の貯留空間への浸入を防止し、流入管、流出管、溢流管、泥だめます、人孔、オリフィスなど必要に応じた付帯設備を設けてよいことは従来と同様である。
【０００８】
図２は、帯水構造体１０に使用する例示的なブロック２０を示す。ブロック２０は、上板２１と、その４角の脚部２２を有する。ブロック２０の平面形状（上板２１の形状）は、正方形状である。他の形状でもよい。脚部２２には、上板２１側に開口した凹部２３が形成されている。凹部２３は、後述の柱３０，３１を収容可能である。図示しないが、凹部２３の底面２４が穴空きのブロック２０（穴空きブロック）と、穴空きでないブロック２０（有底のブロック）の２種類がある。当該穴は、柱３０を貫通させることができる。
【０００９】
図３は、ブロック２０の連結の態様を示す。（ａ）は、ブロック２０を水平（前後又は左右）に連結した例で、（ｂ）は、ブロック２０を上下に脚部２２で連結した例で、（ｃ）は、ブロック２０を上下に上板２１で連結した例である。ブロック２０は、（ａ）〜（ｃ）の連結をするための連結手段を有するのがよい。図２では、（ａ）のための連結手段の例として、継手２５，２６を示す。ブロック２０を水平に並べ、継手２５，２６をはめ合うことで連結できる。連結手段は、特許文献６，７など種々のものが公知であり、任意のものを採用してよい。
【００１０】
図４は、帯水構造体１０の全体を上から見た図である。帯水構造体１０の外周の斜線部分は、外壁部１０ａであり、その内側は、内周部１０ｂである。
【００１１】
図５は、図４の破線で囲った部分を横から見た図である。図５に示すように、帯水構造体１０は、複数のブロック２０を前後左右に配列したブロック層Ｌ１，Ｌ２と、ブロック層Ｌ１，Ｌ２を支持する複数の柱３０を有する。ブロック層Ｌ１，Ｌ２は、凹部２３を対向させて配置され、柱３０は、対向する凹部２３に収容されている。柱３０は、凹部２３の２個分よりも長く、ブロック層Ｌ１，Ｌ２の間に空間Ｖが形成される。
【００１２】
外壁部１０ａでは、ブロック２０が底２から最上層まで積み上げられている。上下のブロック２０同士は、継手手段で連結するとよい。ブロック層Ｌ１，Ｌ２の間には穴空きブロックを積層し、柱３０を貫通させて最上層と最下層のブロック２０を支持している。外壁部１０ａのブロック２０をすべて有底のブロックとし、各凹部２３に凹部２３と同じ長さの柱を挿入してもよい。
【００１３】
図６は、ブロック層Ｌ１，Ｌ２におけるブロック２０の配列を示す。図６では、柱３０で支持されたブロック２０（主ブロック）は符号Ａで示され、柱３０で支持されていないブロック２０（副ブロック）が符号Ｂで示されている。また、各ブロックＡ，Ｂ内の丸印は４本の脚部２２に対応し、黒丸は柱３０が挿入されていることを、白丸は柱３０が挿入されていないことを示す。
【００１４】
図６のように、内周部１０ｂの主ブロックＡは、前後左右に間隔を開けて配列されている。間隔は、主ブロックＡの縦横の幅と同一である。隣接する主ブロックＡの間は、副ブロックＢで連結されている。これにより、主ブロックＡと副ブロックＢが前後左右に密に連結されている。連結には、継手２５，２６を使用できる。ただし、外壁部１０ａは、すべてが主ブロックＡであり、主ブロックＡ同士が連結されている。
【００１５】
図５に示すように、天板４０は、最上層のブロック２０の上に配置される。天板４０は、コンクリート等の剛性の板がよい。鉄板等でもよい。天板４０の配列を図６において破線で示す。図６のように、ブロックの４枚分の面積の正方形の天板４０を使用し、前後左右の隣接する４つの主ブロックＡの対向する４つの角を跨いで天板４０を配置するとよい。これにより、天板４０の４角が各主ブロックＡの柱３０で支持されるので、天板４０を安定に支持できる。図６では、天板４０を４つだけ示したが、実際には、帯水構造体１０の上面の全体に天板４０を敷き詰めることができる。天板４０の上の空間は、駐車場や公園、道路等、任意の目的で使用できる。天板４０の上に土層や舗装を設けてもよい。
【００１６】
貯留施設１では、ブロック層Ｌ１，Ｌ２でブロック２０が前後左右に密に連結されているので、横方向の十分な強度を確保できる。主ブロックＡと副ブロックＢが同一形状なので、資材管理や組立作業が容易である。ブロック層Ｌ１の下に空間Ｖが形成されるので、ブロック２０の数を少なくできる。主ブロックＡのみを柱３０で支持したので、柱３０の本数を少なくできる。柱３０を凹部２３に収容したので、柱３０を安定に保持できる。
【００１７】
柱３０を耐クリープ性にすることで、地表３の沈下を防止できる。耐クリープ性の柱３０は、例えば、コンクリートの柱やコンクリートを詰めたプラスチック（塩ビ等）や金属パイプを使用できる。地表３に大きな重量が掛からない場合（例えば、地表３が畑の場合）は、プラスチックなどの非耐クリープ性の柱３０を使用してもよい。
【００１８】
外壁部１０ａでは、ブロック２０を底部から最上部まで積み上げたので、埋戻土の土圧等に強い。柱３０で支持することで一層強くなる。図では、帯水構造体１０の最外周の１列のブロック２０だけが外壁部１０ａであるが、土圧が大きい場合は複数列にしてもよい。
【００１９】
空間Ｖがあるため、貯留施設１は、地震・火災・洪水など災害時の一時避難所としても利用できる。人が快適に滞在出来る広さの空間Ｖを確保できるよう、柱３０の間隔や高さを設定するとよい。貯留施設１を公園やグランドの下に設けると、避難所として利用し易い。貯留施設１が浸透施設の場合、流入管を閉じれば避難所として利用できる。貯水施設の場合は、水を汲み出してから利用すればよい。
【００２０】
図７，８は、他の実施形態の帯水構造体１０Ａ，１０Ｂを示す。帯水構造体１０Ａでは、ブロック層Ｌ２の下に、帯水構造体１０Ｂでは、ブロック層Ｌ１の上に、それぞれ付加的なブロック層Ｌ３，Ｌ４を配置した。ブロック層Ｌ３は、上板２１が下向きで、ブロック層Ｌ４は、上板２１が上向きなので、底２及び天板４０との接地面積が大きくなり、支持が安定化する。
【００２１】
ブロック層Ｌ３，Ｌ４の主ブロックＡと副ブロックＢの並びは、ブロック層Ｌ１，Ｌ２と同様である。ブロック層Ｌ３，Ｌ４の主ブロックＡの凹部２３に短い柱３１を収容すると、上下方向の強度が高くなる。
【００２２】
帯水構造体１０Ａ〜１０Ｃを適宜上下に積み重ねることで、高い帯水構造体を構成できる。図８は、その一例の帯水構造体１０Ｃである。
【００２３】
上記実施形態に記載した貯留施設やその要素の寸法、形状、配置、個数、材料等は例示であり、他の態様も可能である。例えば、ブロック２０の形状や連結方法は任意であり、特許文献２〜７のものを使用してもよい。１つの主ブロックＡを４本の柱３０で支持した場合を示したが、１本の柱３０で支持してもよい。主ブロックＡと副ブロックＢは、平面形状（上板２１の形状）が同一であればよい。例えば、副ブロックＢの脚部２２を省略してもよい。継手は、ブロック２０と別の部材で構成してもよい。ブロック層Ｌ１〜Ｌ４の主ブロックＡと副ブロックＢの配列は変更可能である。例えば、主ブロックＡの数を増やせば上下方向の強度を高くでき、主ブロックＡの数を減らせば空間Ｖが広くなる。外壁部１０ａは、ブロック２０が１列の場合を示したが、土圧が強い場合等は、外壁部１０ａのブロック２０の列数を複数にしてもよい。
【符号の説明】
【００２４】
１・・・貯留施設
２・・・底
３・・・地表
４・・・土
１０，１０Ａ〜１０Ｃ・・・帯水構造体
１０ａ・・・外壁部
１０ｂ・・・内周部
２０・・・ブロック
２１・・・上板
２２・・・脚部
２３・・・凹部
２４・・・底面
２５，２６・・・継手
３０，３１・・・柱
４０・・・天板
Ａ・・・主ブロック
Ｂ・・・副ブロック
Ｌ１，Ｌ２・・・ブロック層
Ｌ３，Ｌ４・・・付加的なブロック層
Ｖ・・・空間
【図１】
2018131793.tif 000003
【図２】
2018131793.tif 000004
【図３】
2018131793.tif 000005
【図４】
2018131793.tif 000006
【図５】
2018131793.tif 000007
【図６】
2018131793.tif 000008
【図７】
2018131793.tif 000009
【図８】
2018131793.tif 000010
【図９】
2018131793.tif 000011